(57)【要約】      （修正有）【課題】利便性と実用性を備えた肘掛調整構造を提供する。【解決手段】肘掛調整構造であって、主に一本の肘掛２及び一個のスリップリング２１からなり、肘掛の一端は軸心とするが、一端はスリップリングを設置し、その自在軸掛を中心とし、スリップリングをロッド２３に上下に移動することができ、そのスリップリングの中央部にロッドに連結するための穴があり、一端はそれから延伸する接合物２１４があり、肘掛の一端のスリップ添え用のものであるが、他の一端は一個の爪型フランジ継手２１１・一個の下凸状物２１２を設置し、ロッドの先端に付けるフランジ２３１を嵌め込ること、或いは、分離することで、外に向いて展開、及び、内に向いて収納を行う。【選択図】図７
0003109141.tif 000002
【実用新案登録請求の範囲】
【請求項１】
肘掛調整構造であって、主に一本の肘掛及び一個のスリップリングからなり、肘掛の一端は軸心とするが、一端はスリップリングを設置し、その自在軸掛を中心とし、スリップリングをロッドに上下に移動することができ、そのスリップリングの中央部にロッドに連結するための穴があり、一端はそれから延伸する接合物があり、肘掛の一端のスリップ添え用のものであるが、他の一端は一個の爪型フランジ継手・一個の下凸状物を設置し、ロッドの先端に付けるフランジを嵌め込ること、或いは、分離することで、外に向いて展開、及び、内に向いて収納を行う
ことを特徴とする肘掛調整構造。
【請求項２】
請求項１に記載の肘掛調整構造において、
折畳式椅子または折畳式机に用い、
スリップリングは折畳机の中央部に設置する主要けた材に位置し、その両端から延伸した接合物があり、これは肘掛の一端にスリップ添えをするものであり、自在軸受は肘掛の一端のロッドに設置し、使用時に、主要けた材のスリップリングを上下に移動でき、折畳式椅子または折畳式机を外に向いて展開、及び、内に向いて収納を行う
ことを特徴とする肘掛調整構造。
【請求項３】
請求項１に記載の肘掛調整構造において、
折畳式椅子または折畳式机に用い、
スリッドリングはロッドに連結し、その一端に延伸した接合物があり、肘掛の一端にスリップ添えをし、自在軸受（４２１）は主要けた材の先端（４４）に位置し、収納時に、スリッドリングに下に向いて移動させ、それに、自在軸受の特性により折畳式椅子または折畳式机を両方から中央に折畳む、または、上に向いて移動して展開する
ことを特徴とする肘掛調整構造。
【考案の詳細な説明】
【技術分野】
【０００１】
本考案は、肘掛調整構造に関し、さらに詳細には、折畳式椅子または折畳式机に用いて好適な肘掛調整構造に関するものである。特に、一種のスリップリングと自在軸受の上下移動の構造によれば、椅子（机）が小さく折畳め、体積を縮小できる。携帯と収納を行うのを一層便利にするものである。
【背景技術】
【０００２】
現在は戸外活動が普遍に重視されると同時に、数多くの家庭用品は収納と携帯を行うための利便性を備えている。使用者の要望に応じて、現在のものは折畳機能を設け、携帯しやすくしている。従って、展開と折畳を簡易化する構造が重要になる。
【０００３】
図１〜図３を参照しながら従来の技術について説明する。目前に販売している折畳式椅子（１）は、その調整構造が主に肘掛（１１）・前けた材（１２）・後けた材（１３）・裏ロッド（１４）・外交差ロッド（１５）に含まれる。その中で、肘掛（１１）は前けた材（１２）の先端（１２１）と後けた材（１３）の先端（１３１）を連結する連結物（１１１）に接続し、肘掛（１１）の末端（１１２）は裏ロッド（１４）に接続する。また、前けた材（１２）の末端（１２２）は、リペット（１２３）で外交差ロッド（１５）の先端（１５１）５の２に連結し、後けた材（１３）の末端（１３２）は後脚ロッド（１６）に付ける連結物（１６１）に連結する。そして、裏ロッド（１４）は曲げのもので、後脚ロッド（１６）に付ける固定物と（１６２）中央部の近い所に接続する。裏ロッド（１４）の末端（１４１）は一本のラム（１５）に接続し、これは外交差ロッド（１５２）に付けるものである。
【０００４】
ここで、図１〜図３に示す従来の技術の問題点は、以下の通りである。
【０００５】
（従来技術の問題点１）図１を参照すると、両裏ロッド（１４）は固定ロッドがない。それに、裏ロッド（１４）の末端はラム（１５２）に連結するので、ラム（１５２）の隙間（１５３）のほうは裏ロッド（１４）の管径により大きくなった。従って、裏ロッドは揺れやすい状況に形成する。長期間使用したら、損壊か起こることは容易で、非常に危ない。
【０００６】
（従来技術の問題点２）リペット（１５２）が外交差ロッド（１５）の交点（１５４）に阻害されたので、移動できない。
【０００７】
なお、本願出願人が実用新案登録出願時に知っている先行技術は、上記において説明したようなものであって文献公知に係る考案ではないため、記載すべき先行技術情報はない。
【考案の開示】
【考案が解決しようとする課題】
【０００８】
本考案は、従来の技術の有する上記したような種々の問題点に鑑みてなされたものであり、その目的とするところは、利便性と実用性を備えた肘掛調整構造を提供しようとするものである。
【０００９】
即ち、本考案者は改良を考え、実務経験と不断の研究改良・進歩を結合して、終に一種の折畳式椅子または折畳式机に用いて好適な肘掛調整構造を考案した。本考案の設計により以下の考案目的を達成できる。
【００１０】
本考案設計の目的は、一種の折畳式椅子（机）の肘掛における調整構造の提供にある。図７〜図９のように、本考案は折畳式椅子の肘掛における調整構造に応用する。主に肘掛（２）・リペット（２１）・爪型フランジ継手・下凸状物（２１２）・自在軸受（２２）各一つに組み合わせる。その中に、一本の肘掛（２）の一端がスリップリング（２１）から延伸する接合物（２１４）にリペット締めをされるが、一端は自在軸受を設け、且つ、ロッドと連結する。一個のスリップリング（２１）の中央部に、ロッドに連結するための穴が一つある。そのスリップリング（２１）の一端から延伸する接合物は、肘掛の一端にスリップ添え用のもので、ロッドに上下移動できる設計である。一個の爪型フランジ継手（２１１）がスリップリングの一側にスリップ添えをされる。その末端に下凸状物がある。一個の下凸状物（２１２）は爪型フランジ継手の末端に位置する。一本の自在軸受（２２）は肘掛の一端に位置し、ロッドと連結する。肘掛における展開あるいは折畳ができる構造がある。動きにつれて回転の動作を進行し、折畳式椅子の展開あるいは折畳に有利である。
【課題を解決するための手段】
【００１１】
上記目的を達成するために、本考案による肘掛調整構造は、主に一本の肘掛及び一個のスリップリングからなり、肘掛の一端は軸心とするが、一端はスリップリングを設置し、その自在軸掛を中心とし、スリップリングをロッドに上下に移動することができ、そのスリップリングの中央部にロッドに連結するための穴があり、一端はそれから延伸する接合物があり、肘掛の一端のスリップ添え用のものであるが、他の一端は一個の爪型フランジ継手・一個の下凸状物を設置し、ロッドの先端に付けるフランジを嵌め込ること、或いは、分離することで、外に向いて展開、及び、内に向いて収納を行うようにしたものである。
【００１２】
即ち、本考案は折畳式椅子（机）における肘掛調整構造に関するものであり、肘掛・スリップリング・自在軸受とロッドを含む。展開と折畳みを行う時に、ひじ掛けが移動すると、スリップリングと自在軸受を引き動かすことができる。いっそう説明しよう。まず、自在軸受を足軸に沿って上に適切な所に移動し、スリップリングに付ける爪型フランジ継手を足軸の先に付けるフランジに嵌め込む。そうすると、展開できる。逆に、スリップリング下のフランジ継手を押して、スリップリングの爪型フランジ継手をフランジに分離させ、また、自在軸受を足軸に沿って下に向いて移動する。そうしたら、折畳める。本創案の設計により、いすと机の収納と運搬を行うのに一層便利にする。全体として言えば、極めて優れた便利性と実用性が備える。
【考案の効果】
【００１３】
本考案は、利便性と実用性を備えた肘掛調整構造を提供することができるという優れた効果を奏する。
【考案を実施するための最良の形態】
【００１４】
本考案の構造の特徴及び特長を明確に説明するために、添付図を利用して以下に詳細説明する。
【００１５】
まず、本考案の図７と図８を参照する。使用者は折畳式椅子を展開しようとする時に、まず、肘掛（２）を上に引き開け、同時にスリップリング（２１）をロッド（２３）に上下移動させる。そして、ロッド（２３）の先端の連結物（２３１）に止める。それから、爪型フランジ継手（２１１）の末から延伸する下凸状物（２１２）を押し、爪型フランジ継手（２１１）と連結物（２３１）のフランジ（２３１）を嵌込む。そうすると、折畳式椅子の展開が簡易に完成できる。
【００１６】
逆に折畳たい時について、本考案の図１１および図１２を参照してして説明する。まず、爪型フランジ継手（２１１）の末から延伸する下凸状物（２１２）を押し、爪型フランジ継手（２１１）を連結物（２３２）のフランジ（２３１）に分離させ、また、スリップリング（２１）を下に向いて移動する。そうしたら、折畳式椅子を収めることができる。そして、スリップリング（２１）をロッド（２３）の末端に移動すると、折畳める。体積を縮小したため、携帯と収納に便利である。
【００１７】
また、本考案の図１５を参照する。これは折畳式机（３）に応用した時の立体図である。スリップリング（３１）の両端から延伸した接合物（３１１）があり、これは肘掛（３３１）の一端にスリップ添えをするものである。そのスリップリング（３１）は折畳机（３）の中央部に設置する主要けた材（３２）に位置するが（図１６を参照する。）、自在軸受（３３）は肘掛（３３１）の一端のロッド（３４）にある。折畳む時に主要けた材（３２）のスリップリング（３１）が下に向いて移動することに有利、折畳式机（３）の収納と展開を行うことが容易に出来る。
【００１８】
そして、本考案の図１９を参照する。これも、折畳式机（４）に応用した時の実施図示である。その中には、スリップリング（４２）もロッド（４３）に連結する。そのスリップリングの一端に延伸した接合物（４２１）があり、また、肘掛（４１１）の一端にスリップ添えをする。自在軸受（４２１）は主要けた材の先端（４４）に位置する。収納の時にスリップリング（４２）が下に向いて移動させ、それに、自在軸受（４１）の特性により、収納した後の折畳式机（４）の体積が縮小できる（図２０を参照する。）。また、スリップリング（４２）は上に向いて移動させ、折畳式机（４）を展開して固定できる。
【産業上の利用可能性】
【００１９】
本考案は、折畳式椅子または折畳式机に利用されるものである。
【図面の簡単な説明】
【００２０】
【図１】従来の折畳式椅子の立体展開図である。
【図２】従来の折畳式椅子の立体側面展開図である。
【図３】従来の折畳式椅子の肘掛における調整構造の局部分解図である。
【図４】従来の折畳式椅子の後脚ロッドを収納する動態図である。
【図５】折畳式椅子の収合後の右側図である。
【図６】本考案を折畳式椅子に応用した時の立体図である。
【図７】本考案を折畳式椅子の展開に応用した時のスリップリング嵌込である。
【図８】本考案を折畳式椅子の収合に応用した時のスリップリング分離図である。
【図９】本考案の自在軸受の局部拡大図である。
【図１０】考案を折畳式椅子に応用した時の左側図である。
【図１１】考案を折畳式椅子に応用した時の収合動態図である。
【図１２】本考案を折畳式椅子に応用した時の収合左側図である。
【図１３】本考案を折畳式椅子に応用した時の左側図である。
【図１４】本考案を折畳式椅子に応用した時の収合左側図である。
【図１５】本考案を折畳式机に応用した時の立体図である。
【図１６】本考案を折畳式机に応用した時のスリップリング局部増幅図である。
【図１７】本考案を折畳式机に応用した時の正面図である。
【図１８】本考案を折畳式机に応用した時の収合正面図である。
【図１９】本考案を折畳式机に応用した時の立体図である。
【図２０】本考案を折畳式机に応用した時の収合正面図である。
【図２１】本考案を棚網に応用した時の立体図である。
【符号の説明】
【００２１】
１      可調整の折畳式机           １１    肘掛
１１１  連結物              １１２  末端
１１３  へこみ              １２    前けた材
１２１  先端                １２２  末端
１２３  リペット            １３    後けた材
１３１  先端                １３２  末端
１４    裏ロッド                 １４１  末端
１５    外交差ロッド        １５１  先端
１５２  ラム                １５３  隙間
１５４  交点                １６    後脚ロッド
１６１  連結物              １６２  固定物
２      肘掛                ２１    スリップリング
２１１  爪型フランジ継手           ２１２  下凸状物（爪型フランジ継手の末）
２１３  リペット                 ２１４  接合物
２２    自在軸受
２３    ロッド              ２３１  フランジ
２３２  連結物
３      折畳式机            ３１    スリップリング
３１１  接合物              ３２    主要けた材
３３    自在軸受                   ３３１  肘掛
３４    ロッド
４      折畳式机            ４１    自在軸受
４１１  肘掛                ４２１  接合物
４２    スリップリング      ４３    ロッド
４４    主要けた材
【図１】
0003109141.tif 000003
【図２】
0003109141.tif 000004
【図３】
0003109141.tif 000005
【図４】
0003109141.tif 000006
【図５】
0003109141.tif 000007
【図６】
0003109141.tif 000008
【図７】
0003109141.tif 000009
【図８】
0003109141.tif 000010
【図９】
0003109141.tif 000011
【図１０】
0003109141.tif 000012
【図１１】
0003109141.tif 000013
【図１２】
0003109141.tif 000014
【図１３】
0003109141.tif 000015
【図１４】
0003109141.tif 000016
【図１５】
0003109141.tif 000017
【図１６】
0003109141.tif 000018
【図１７】
0003109141.tif 000019
【図１８】
0003109141.tif 000020
【図１９】
0003109141.tif 000021
【図２０】
0003109141.tif 000022
【図２１】
0003109141.tif 000023